(57)【要約】【課題】記録メディアにユーザの好みの曲を集大成したオリジナル楽曲アルバムを簡単且つ短時間でしかも安価に製作することができる着信メロディ配信システムを提供する。【解決手段】複数の着信メロディが登録された着信メロディデータベース１１と、着信メロディデータベース１１に登録されている複数の着信メロディ夫々の元となるオリジナル楽曲が登録されたオリジナル音源データベース１２とを備え、ユーザごとに着信メロディをダウンロードした履歴を記録したダウンロードリストを作成し、着信メロディダウンロード済みのユーザが着信メロディの元となるオリジナル楽曲の入手を希望する場合、オリジナル音源データベース１２から当該ユーザのダウンロードリストに登録された曲情報に対応するオリジナル楽曲を読み出してＣＤ−Ｒに記録する。そして、このオリジナルの楽曲を記録したＣＤ−ＲをマイＣＤ１６としてユーザ宛で送付する。【選択図】図１
2005134730.tif 000002
【特許請求の範囲】
【請求項１】
着信メロディを演奏可能な通信端末装置に通信網を介して着信メロディを配信する着信メロディ配信システムであって、
複数の着信メロディが登録された着信メロディデータベースと、
前記着信メロディデータベースに登録されている複数の着信メロディ夫々の元となるオリジナル楽曲が登録されたオリジナル音源データベースとを備え、
前記通信端末装置のユーザごとにダウンロードした着信メロディの曲情報を記録したダウンロードリストを作成し、ユーザがダウンロード済みの着信メロディの元となるオリジナル楽曲の入手を希望した場合、前記オリジナル音源データベースから当該ユーザのダウンロードリストに登録された着信メロディの曲情報に対応するオリジナル楽曲を読み出して記録メディアに記録し、このオリジナル楽曲記録済みの記録メディアを前記ユーザ宛で送付する処理を行うことを特徴とする着信メロディ配信システム。
【請求項２】
複数の着信メロディを記憶している着信メロディ記憶手段と、
前記着信メロディ記憶手段が記憶している複数の着信メロディ夫々の元となるオリジナルの楽曲を記憶しているオリジナル音源記憶手段と、
着信メロディをダウンロード可能な通信端末装置のユーザごとに着信メロディの曲情報を記録したダウンロードリストを記憶するダウンロードリスト記憶手段と、
着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、
前記オリジナル楽曲読み出し手段で読み出された前記オリジナル楽曲を記録メディアに記録するオリジナル楽曲記録手段と、
を具備することを特徴とするオリジナル楽曲アルバム製作装置。
【請求項３】
前記着信メロディ記憶手段に記憶されている複数の着信メロディ夫々には曲を識別するための曲情報が付加されており、また前記オリジナル音源記憶手段に記憶されている複数のオリジナル楽曲夫々には前記着信メロディ記憶手段に記憶されている複数の着信メロディ夫々と共通する曲情報が付加されており、前記ダウンロードリスト記憶手段には着信メロディの曲情報が記憶され、前記オリジナル楽曲読み出し手段は、前記ダウンロードリストに登録された曲情報と同一の曲情報のオリジナル楽曲を前記オリジナル音源記憶手段から読み出すことを特徴とする請求項２に記載のオリジナル楽曲アルバム製作装置。
【請求項４】
前記オリジナル楽曲読み出し手段は、前記ダウンロードリストに登録された全曲情報のうち、前記ユーザが選択した曲情報に対応するオリジナル楽曲のみ読み出すことを特徴とする請求項３に記載のオリジナル楽曲アルバム製作装置。
【請求項５】
前記オリジナル楽曲読み出し手段が読み出したオリジナル楽曲を所定の音声ファイル形式に変換する音声ファイル変換手段と、
音声ファイルでの配信を希望するユーザに対して、前記音声ファイル変換手段にて音声ファイル形式に変換された前記オリジナル楽曲を送信する送信手段と、
を具備することを特徴とする請求項２から請求項４のいずれかに記載のオリジナル楽曲アルバム製作装置。
【請求項６】
着信メロディを演奏可能な通信端末装置が着信メロディをダウンロードした履歴から、着信メロディの元となるオリジナル楽曲を編集するオリジナル楽曲アルバム製作プログラムであって、
着信メロディをダウンロードするユーザごとにダウンロードした着信メロディの曲情報を記録するダウンロードリストを作成するダウンロードリスト作成処理と、
着信メロディをダウンロード済みのユーザが着信メロディの元となるオリジナル楽曲の入手を希望する場合に、着信メロディの元となるオリジナル楽曲が登録されたオリジナル音源データベースから当該ユーザの前記ダウンロードリストに記録された着信メロディの曲情報に対応するオリジナル楽曲を読み出すオリジナル楽曲読み出し処理と、
読み出されたオリジナル楽曲を記録メディアに記録するオリジナル楽曲記録処理と、
を含み、コンピュータに前記各処理を実行させることを特徴とするオリジナル楽曲アルバム製作プログラム。
【請求項７】
前記オリジナル楽曲読み出し処理では、予めユーザが曲情報の選択を行った場合、前記ダウンロードリストに記録された全曲情報のうち、ユーザが選択した曲情報に対応するオリジナル楽曲のみ読み出すことを特徴とする請求項６に記載のオリジナル楽曲アルバム製作プログラム。
【請求項８】
前記オリジナル楽曲読み出し処理にて読み出されたオリジナル楽曲を所定の音声ファイル形式に変換する音声ファイル変換処理と、
音声ファイルでの配信を希望するユーザに対して、音声ファイル形式に変換された前記オリジナル楽曲を当該ユーザの通信端末装置へ送信する送信処理と、
を更に含むことを特徴とする請求項６又は請求項７のいずれかに記載のオリジナル楽曲アルバム製作プログラム。
【発明の詳細な説明】
【技術分野】
【０００１】
本発明は、着信メロディを演奏する機能を有する携帯電話等の通信端末装置に対して着信メロディの配信を行う着信メロディ配信システム、及び、着信メロディの元となるオリジナルの楽曲を集大成してユーザオリジナルの楽曲アルバムを製作する楽曲アルバム製作装置に関する。
【背景技術】
【０００２】
特に音楽好きではなくても、今までに聞いたことのある好みの楽曲を集めて１つの記録メディア（例えばＣＤ−Ｒ(Compact Disk−Recordable)やＭＤ(Mini Disk)）に記録してユーザオリジナルの楽曲アルバムを製作することがある。このユーザオリジナルの楽曲アルバムの製作においては、ユーザの好みの楽曲が記録されたＣＤやＭＤなどの記録メディアを購入又はレンタルし、またはＦＭ放送などで音楽番組をエアチェックして録音しておいた記録メディアを用いて、好みの楽曲を１曲ずつ再生しては新規の記録メディア（ＭＤ、ＣＤ−Ｒ、テープ等）に記録する編集作業が必要となる。この編集作業は、時間と費用がかかり、また再生専用の機器（例えば、再生専用のＣＤプレーヤやＭＤ）しか持っていない場合には新たに録音可能な機器を購入する必要があるので、簡単に且つ短時間でしかも安価にオリジナルの楽曲アルバムを取得できるサービスが望まれている。
【０００３】
一方、今日、携帯電話などの移動体通信においては、着信メロディを配信するサービスが行われており、着信メロディを演奏可能な機能を有する携帯電話を所持するユーザの間では当該サービスが盛んに利用されている。そして、着信メロディのサービスを行っているサイトの殆どは、回線障害などで着信メロディを完全にダウンロードできなかった場合の対策として、同一の着信メロディを再度ダウンロードできるように、ユーザごとに着信メロディをダウンロードした履歴を記録したダウンロードリストを管理している。このダウンロードリストは、各ユーザ独自の楽曲に対する嗜好性が入っているものであり、言わばユーザ毎のベストアルバムと言えるものである。
【０００４】
なお、従来、着信メロディの検索、取得及び音楽コンテンツ（音楽ＣＤ、音楽ＤＶＤ又はＭＰＥＧ−３等の音楽圧縮データファイル）の購入を可能にしたシステムの提案がある（例えば、特許文献１参照）。
【０００５】
【特許文献１】特開２００３−９９０７１号公報（第４頁、第３図及び第４図）
【発明の開示】
【発明が解決しようとする課題】
【０００６】
ところで、着信メロディのサービスを行っているサイトが管理しているユーザごとのダウンロードリストは、先に述べたように再ダウンロードのために用いられるものであり、それ以外の用途には使われていないのが現状である。もし、このダウンロードリストから着信メロディの元となるオリジナルの楽曲を集大成した楽曲アルバムを製作できるのであれば、ユーザは単に好みの着信メロディをダウンロードするだけで、自分だけの楽曲アルバムを入手することが可能となる。
【０００７】
なお、特許文献１で開示されたシステムは、ユーザが自分の携帯電話を使用して検索した所望の曲が入った音楽ＣＤ、音楽ＤＶＤ又はＭＰＥＧ−３等の音楽圧縮データファイルをユーザに販売する構成を採るものであり、あくまでもユーザの好みの曲が含まれた音楽ＣＤ、音楽ＤＶＤ又はＭＰ−３等の音楽圧縮データファイルであり、全ての曲がユーザの好みの曲ではない。すなわち、ユーザ毎のオリジナル楽曲アルバムを製作して販売するようにしたものではない。
【０００８】
本発明は上述した事情に鑑みてなされたものであり、記録メディアにユーザの好みの曲を集大成したオリジナル楽曲アルバムを簡単且つ短時間でしかも安価に製作することができる着信メロディ配信システム及びオリジナル楽曲アルバム製作装置を提供することを目的とする。
【課題を解決するための手段】
【０００９】
上記課題を解決するために請求項１に係る発明の着信メロディ配信システムは、着信メロディを演奏可能な通信端末装置に通信網を介して着信メロディを配信する着信メロディ配信システムであって、複数の着信メロディが登録された着信メロディデータベースと、前記着信メロディデータベースに登録されている複数の着信メロディ夫々の元となるオリジナル楽曲が登録されたオリジナル音源データベースとを備え、前記通信端末装置のユーザごとにダウンロードした着信メロディの曲情報を記録したダウンロードリストを作成し、ユーザがダウンロード済みの着信メロディの元となるオリジナル楽曲の入手を希望した場合、前記オリジナル音源データベースから当該ユーザのダウンロードリストに登録された着信メロディの曲情報に対応するオリジナル楽曲を読み出して記録メディアに記録し、このオリジナル楽曲記録済みの記録メディアを前記ユーザ宛で送付する処理を行う構成を採る。
【００１０】
この構成によれば、着信メロディを演奏可能な携帯電話等の通信端末装置を所持するユーザが、ダウンロードにて入手した着信メロディの元となるオリジナル楽曲の入手を希望する場合、当該ユーザがダウンロードした着信メロディの履歴を記録したダウンロードリストを用いて、そのダウンロードリストに記録されている着信メロディの曲情報に対応するオリジナル楽曲をオリジナル音源データベースから読み出して記録メディア（ＣＤ−ＲやＭＯ等）に記録する。そして、その記録メディアをユーザ宛に送付する。
【００１１】
したがって、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００１２】
また、ユーザのダウンロードリストは着信メロディ配信サイトに属するものであるので、オリジナル楽曲の著作権管理が容易で違法コピーなどの問題が起こらない健全な配布が可能となる。これによって、着信メロディサービス業界では着信メロディの販売増が見込め、音楽業界側ではオリジナル楽曲の販売増が見込める。さらには、楽曲アルバムをユーザに届ける運送業界では運送量の増加が見込める。このように１つの業種だけでなく、関係する業界すべての活性化が期待できる。
【００１３】
請求項２に係る発明のオリジナル楽曲アルバム製作装置は、複数の着信メロディを記憶している着信メロディ記憶手段と、前記着信メロディ記憶手段が記憶している複数の着信メロディ夫々の元となるオリジナルの楽曲を記憶しているオリジナル音源記憶手段と、着信メロディをダウンロード可能な通信端末装置のユーザごとに着信メロディの曲情報を記録したダウンロードリストを記憶するダウンロードリスト記憶手段と、着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、前記オリジナル楽曲読み出し手段で読み出された前記オリジナル楽曲を記録メディアに記録するオリジナル楽曲記録手段と、を具備する構成を採る。
【００１４】
この構成によれば、着信メロディをダウンロードした履歴を記録したダウンロードリストを用いて、そのダウンロードリストに記録されている着信メロディの曲情報に対応するオリジナル楽曲をオリジナル音源記憶手段から読み出して記録メディアに記録する。
【００１５】
したがって、従来のように、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００１６】
請求項３に係る発明のオリジナル楽曲アルバム製作装置は、請求項２に係る発明のオリジナル楽曲アルバム製作装置において、前記着信メロディ記憶手段に記憶されている複数の着信メロディ夫々には曲を識別するための曲情報が付加されており、また前記オリジナル音源記憶手段に記憶されている複数のオリジナル楽曲夫々には前記着信メロディ記憶手段に記憶されている複数の着信メロディ夫々と共通する曲情報が付加されており、前記ダウンロードリスト記憶手段には着信メロディの曲情報が記憶され、前記オリジナル楽曲読み出し手段は、前記ダウンロードリストに登録された曲情報と同一の曲情報のオリジナル楽曲を前記オリジナル音源記憶手段から読み出す構成を採る。
【００１７】
この構成によれば、着信メロディとオリジナル楽曲の管理を曲情報に基づいて行うので、全体としての処理の高速化が図れる。また、ダウンロードリスト記憶手段として記憶容量の小さなものを使用することができ、その分コストダウンが図れる。
【００１８】
請求項４に係る発明のオリジナル楽曲アルバム製作装置は、請求項３に係る発明のオリジナル楽曲アルバム製作装置において、前記オリジナル楽曲読み出し手段は、前記ダウンロードリストに登録された全曲情報のうち、前記ユーザが選択した曲情報に対応するオリジナル楽曲のみ読み出す構成を採る。
【００１９】
この構成によれば、ダウンロードリストに記録されている着信メロディの曲情報のうち、ユーザの好みのものを選択することができるので、例えば異なるジャンルごとに楽曲アルバムを作製することができる。具体例として、数十年前に流行した懐メロを集めた楽曲アルバムの製作が可能となる。
【００２０】
請求項５に係る発明のオリジナル楽曲アルバム製作装置は、請求項２から請求項４のいずれかに係る発明のオリジナル楽曲アルバム製作装置において、前記オリジナル楽曲読み出し手段が読み出したオリジナル楽曲を所定の音声ファイル形式に変換する音声ファイル変換手段と、音声ファイルでの配信を希望するユーザに対して、前記音声ファイル変換手段にて音声ファイル形式に変換された前記オリジナル楽曲を送信する送信手段と、を具備する構成を採る。
【００２１】
この構成によれば、ユーザの好みのオリジナル楽曲を音声ファイルに変換して、そのユーザの通信端末装置へ送信するので、ユーザは注文を入れてから直ぐにオリジナル楽曲アルバムを入手することができる。
【００２２】
請求項６に係る発明のオリジナル楽曲アルバム製作プログラムは、着信メロディを演奏可能な通信端末装置が着信メロディをダウンロードした履歴から、着信メロディの元となるオリジナル楽曲を編集するオリジナル楽曲アルバム製作プログラムであって、着信メロディをダウンロードするユーザごとにダウンロードした着信メロディの曲情報を記録するダウンロードリストを作成するダウンロードリスト作成処理と、着信メロディをダウンロード済みのユーザが着信メロディの元となるオリジナル楽曲の入手を希望する場合に、着信メロディの元となるオリジナル楽曲が登録されたオリジナル音源データベースから当該ユーザの前記ダウンロードリストに記録された着信メロディの曲情報に対応するオリジナル楽曲を読み出すオリジナル楽曲読み出し処理と、読み出されたオリジナル楽曲を記録メディアに記録するオリジナル楽曲記録処理と、を含み、コンピュータに前記各処理を実行させる。
【００２３】
このプログラムによれば、着信メロディをダウンロードした履歴を記録したダウンロードリストを用いて、そのダウンロードリストに記録されている着信メロディの曲情報に対応するオリジナル楽曲をオリジナル音源データベースから読み出して記録メディアに記録する。
【００２４】
したがって、従来のように、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００２５】
請求項７に係る発明のオリジナル楽曲アルバム製作プログラムは、請求項６に係る発明のオリジナル楽曲アルバム製作プログラムにおいて、前記オリジナル楽曲読み出し処理では、予めユーザが曲情報の選択を行った場合、前記ダウンロードリストに記録された全曲情報のうち、ユーザが選択した曲情報に対応するオリジナル楽曲のみ読み出す。
【００２６】
このプログラムによれば、ダウンロードリストに記録された着信メロディの曲情報のうち、ユーザが予め選択した曲情報に対応するオリジナル楽曲のみ読み出すので、例えば異なるジャンルごとに楽曲アルバムを作製することができる。具体例として、数十年前に流行した懐メロを集めた楽曲アルバムの製作が可能となる。
【００２７】
請求項８に係る発明のオリジナル楽曲アルバム製作プログラムは、請求項６又は請求項７のいずれかに係る発明のオリジナル楽曲アルバム製作プログラムにおいて、前記オリジナル楽曲読み出し処理にて読み出されたオリジナル楽曲を所定の音声ファイル形式に変換する音声ファイル変換処理と、音声ファイルでの配信を希望するユーザに対して、音声ファイル形式に変換された前記オリジナル楽曲を当該ユーザの通信端末装置へ送信する送信処理と、を更に含む。
【００２８】
このプログラムによれば、ユーザの好みのオリジナル楽曲を音声ファイルに変換して通信端末装置へ送信するので、ユーザは注文を入れてから直ぐにオリジナル楽曲アルバムを入手することができる。
【発明の効果】
【００２９】
本発明によれば、ユーザが着信メロディをダウンロードした際に作成されるダウンロードリストを利用してオリジナル楽曲のアルバムを製作するようにしたので、ユーザは単に好みの曲の着信メロディをダウンロードするだけで、オリジナル楽曲を集大成した楽曲アルバムを製作することができる。すなわち、ユーザの好みの曲を集大成した楽曲アルバムを簡単且つ短時間でしかも安価に製作することが可能となる。
【００３０】
また、ユーザのダウンロードリストは着信メロディ配信サイトに属するものであるので、オリジナル楽曲の著作権管理が容易で違法コピーなどの問題が起こらない健全な配布が可能となる。これによって、着信メロディサービス業界では着信メロディの販売増が見込め、音楽業界側ではオリジナル楽曲の販売増が見込める。さらには、楽曲アルバムをユーザに届ける運送業界では運送量の増加が見込める。このように１つの業種だけでなく、関係する業界すべての活性化が期待できる。
【発明を実施するための最良の形態】
【００３１】
以下、本発明を実施するための最良の形態について、図面を参照して詳細に説明する。
図１は、本発明の一実施の形態に係る着信メロディ配信システムの構成を示すブロック図である。
図１において、本実施の形態に係る着信メロディ配信システム１０は、着信メロディを演奏する機能を有する携帯電話やＰＤＡ(Personal Digital Assistant)等の通信端末装置２０で使用可能な複数の着信メロディが登録された着信メロディデータベース１１と、着信メロディデータベース１１に登録されている着信メロディデータの元になるオリジナル楽曲の音源データが登録されたオリジナル音源データベース１２と、基地局３０とインターネット網（通信網）４０を介して通信端末装置２０と双方向通信を行い、着信メロディの通信端末装置２０への配信及び管理を行うＷｅｂサーバ１３と、通信端末装置２０に配信した着信メロディの履歴を記録したダウンロードリストを保存するダウンロードリストデータベース１４と、通信端末装置２０を介してユーザ２１からマイＣＤ製作要求があった場合にダウンロードリストデータベース１４に保持されている当該ユーザ２１のダウンロードリストを参照し、オリジナル音源データベース１２からダウンロードリストの各曲に対応するオリジナル楽曲の音源データを読み出してＣＤ−Ｒ等の記録メディアに記録してオリジナル楽曲アルバムを製作する音楽ＣＤ製作サーバ１５とを備えている。
【００３２】
着信メロディデータベース１１には、図２に示すように、着信メロディが『曲タイトル』、『曲データ』、『曲ＩＤ』、の形式で登録されている。オリジナル音源データベース１２には、図３に示すように、着信メロディの元となるオリジナル楽曲の音源データが『曲タイトル』、『オリジナル音源データ』、『曲ＩＤ』の形式で登録されている。この場合、オリジナル音源データベース１２の『曲ＩＤ』が着信メロディデータベース１１の『曲ＩＤ』と共通になっており、後述するマイＣＤ製作処理においてオリジナル楽曲の検索を容易にしている。ダウンロードリストデータベース１４には、図４に示すように、ユーザごとのダウンロードリストが『ユーザＩＤ』と『曲ＩＤ』の形式で記録される。Ｗｅｂサーバ１３は、ネットワーク制御機能を有するコンピュータであり、図示せぬＣＰＵと、ＣＰＵを制御するプログラムメモリと、ＣＰＵの動作において使用されるワークメモリとを有している。
【００３３】
Ｗｅｂサーバ１３は、基地局３０とインターネット網４０を介して双方通信状態にある通信端末装置２０から着信メロディをダウンロードする要求があると、着信メロディデータベース１１を参照して、通信端末装置２０のユーザ２１が所望とする着信メロディをダウンロード可能にするとともに、その着信メロディの『曲ＩＤ』をダウンロードリストデータベース１４に記録する。ユーザ毎のダウンロードリストは月末に完成し、月ごとに管理される。なお、ここでは月末に完成するようにしているが、これに限定されるものではなく、任意である。
【００３４】
音楽ＣＤ製作サーバ１５は、通信端末装置２０のユーザ２１からマイＣＤ製作要求があると、そのユーザの『ユーザＩＤ』からダウンロードリストデータベース１４にあるダウンロードリストを参照し、そのダウンロードリストにある全曲又はユーザ２１が任意に選択した曲に対応するオリジナル楽曲の音源データをオリジナル音源データベース１２から読み出してＣＤ−Ｒなどの記録メディアに記録し、ユーザ２１のオリジナル楽曲アルバムを製作する。なお、記録メディアとしてＣＤ−Ｒを用いる以外にユーザ２１の要望に応じてＭＤや磁気テープなどを用いても構わない。
【００３５】
ユーザ２１のオリジナル楽曲アルバムを製作した後、運送業者を介してユーザ２１に届けられる。なお、課金については、オリジナル楽曲アルバム購入手続き時において行うか、あるいは商品と引き換え（即ち代引き）で行うことが考えられる。また、オリジナル楽曲の音源データをＣＤ−Ｒ、ＭＤ、磁気テープ等の記録メディアに記録する他に、ＷＡＶＥ形式にして通信端末装置２０へ送信するようにしても良い。また、ＷＡＶＥ形式にした後、MPEG-1 Audio Layer III方式や、Indeo Audio形式などで圧縮するようにしても良い。
【００３６】
次に、本実施の形態に係る着信メロディ配信システム１０の詳細な動作について、図を用いて説明する。
〔着信メロディ配信処理〕
図５は、着信メロディ配信システム１０における着信メロディ配信処理を示すシーケンス図である。
図５において、通信端末装置２０とＷｅｂサーバ１３との間で接続が確立した後、通信端末装置２０がトップページにアクセスする。Ｗｅｂサーバ１３は、通信端末装置２０のトップページアクセスに応じてトップページを作成し、作成したトップページを通信端末装置２０へ送信する。なお、トップページの作成においては、ＨＴＭＬ(Hyper Text Markup Language)言語などのＷｅｂページで使用できるマークアップ言語が用いられる。
【００３７】
通信端末装置２０は、Ｗｅｂサーバ１３から送信されたトップページを受信すると、自身の表示パネル（図示略）上にトップページを表示する。このトップページには、図６（ａ）に示すように、『アーティスト名で検索』、『曲名で検索』、『曲番号で検索』などの各種検索方法や、オリジナルＣＤ製作のための『マイＣＤ製作』が表示される。
【００３８】
ここでは着信メロディを配信するので、ユーザ２１が例えば『アーティストで検索』を選択すると、Ｗｅｂサーバ１３は検索ページを作成して通信端末装置２０へ送信する。通信端末装置２０は、Ｗｅｂサーバ１３からの検索ページを受信すると、自身の表示パネル上に検索ページを表示する。この検索ページには、図６（ｂ）に示すようにアーティストを検索するためのキーワード入力欄が表示される。
【００３９】
ここで、ユーザ２１がキーワード入力欄に例えば『サザ』を入力すると、Ｗｅｂサーバ１３は、着信メロディデータベース１１にて『サザ』のキーワードで始まるアーティスト名を検索する。そして、検索により『サザ』のキーワードであてはまるアーティスト名が判明すると、そのアーティスト名と曲リストを通信端末装置２０へ送信する。通信端末装置２０は、Ｗｅｂサーバ１３からのアーティスト名と曲リストを受信すると、図６（ｃ）に示すように、自身の表示パネル上にアーティスト名と曲名を表示する。この場合、通信端末装置２０の表示パネルの大きさから全ての曲を一度に表示できない場合があるので、通信端末装置２０ではスクロール操作を可能にしている。
【００４０】
通信端末装置２０の表示パネル上にアーティスト名と曲リストが表示されると、ユーザ２１は、表示された曲のなかから希望する曲を選択する。この曲選択操作により、Ｗｅｂサーバ１３は、選択された曲を配信しても良いかどうかを確認する情報を通信端末装置２０へ送信する。通信端末装置２０は、Ｗｅｂサーバ１３からの配信確認情報を受信すると、図６（ｄ）に示すように配信の可否を確認する画面を表示する。この場合、ユーザ２１が選択した曲が例えば『勝手』であるとすると、「『勝手』をダウンロードしてもよろしいでしょうか？  ＹＥＳ  ＮＯ」という確認画面が表示される。
【００４１】
ここで、ユーザ２１が「ＹＥＳ」を選択すると、Ｗｅｂサーバ１３は、ダウンロードページを通信端末装置２０へ送信し、またダウンロードリストデータベース１４に『勝手』の曲ＩＤとユーザＩＤを記録する。この場合、ユーザＩＤで決まるダウンロードリストに『勝手』の曲ＩＤが追加される。なお、初めて着信メロディをダウンロードする場合は、ユーザＩＤでダウンロードリストを作成し、それに曲ＩＤを登録することになる。
【００４２】
通信端末装置２０は、Ｗｅｂサーバ１３からのダウンロードページを受信すると、図６（ｅ）に示すようにダウンロードページを表示する。この場合、例えば「勝手を追加しました」という確認メッセージが表示される。そして、ダウンロードページの表示とともにダウンロードが開始される。一方、「『勝手』をダウンロードしてもよろしいでしょうか？  ＹＥＳ  ＮＯ」と表示された状態で、ユーザ２１が「ＮＯ」を選択する操作を行うと、Ｗｅｂサーバ１３は、図６（ｃ）の画面を表示して他の曲の選択を促す。
【００４３】
そして、『勝手』の着信メロディのダウンロードが完了すると、再度、図６（ｃ）の画面に戻るか、あるいは図６（ａ）のトップページ画面に戻る。これは同じアーティストの他の曲をダウンロードしたい場合には図６（ｃ）の画面に戻る操作を選択し、他のアーティストの曲をダウンロードした場合には図６（ａ）のトップページ画面に戻る操作を選択することで実現できる。新たな曲をダウンロードする度にダウンロードした着信メロディデータの曲ＩＤがダウンロードリストに追加されて行く。このようにして着信メロディデータのダウンロードが行われるとともに、ダウンロードされた曲の曲ＩＤがダウンロードリストに登録される。
【００４４】
〔マイＣＤ製作処理〕
図７は、本実施の形態に係る着信メロディ配信システム１０におけるマイＣＤ製作処理を示すシーケンス図である。
図７において、通信端末装置２０とＷｅｂサーバ１３との間で接続が確立した後、通信端末装置２０がトップページにアクセスする。Ｗｅｂサーバ１３は、通信端末装置２０のトップページアクセスに応じてトップページを作成し、作成したトップページを通信端末装置２０へ送信する。
【００４５】
通信端末装置２０は、Ｗｅｂサーバ１３からのトップページを受信すると、自身の表示パネル上にトップページを表示する。このトップページには上述したように『アーティストで検索』、『曲名で検索』、『曲番号で検索』などの各種検索方法や、オリジナルＣＤ製作のための『マイＣＤ製作』が表示される（図６（ａ）参照）。
【００４６】
ここではマイＣＤを製作するので、ユーザ２１は『マイＣＤ製作』を選択する。この選択により、Ｗｅｂサーバ１３は、オリジナルＣＤ編集画面を作成して通信端末装置２０へ送信する。この場合、Ｗｅｂサーバ１３は、ユーザ２１のユーザＩＤからダウンロードリストデータベース１４に記録されているユーザ２１のダウンロードリストを読み出す。また、Ｗｅｂサーバ１３は、着信メロディデータベース１１を参照して、ユーザ２１のダウンロードリストにある全ての曲ＩＤに対応する価格を読み出す。そして、ダウンロードリストにある全ての曲ＩＤと、各曲の価格とからオリジナルＣＤ編集画面を作成して通信端末装置２０へ送信する。通信端末装置２０は、Ｗｅｂサーバ１３からのオリジナルＣＤ編集画面を受信すると、自身の表示パネル上にオリジナルＣＤ編集画面を表示する。オリジナルＣＤ編集画面には、図８（ａ）に示すように、『曲リスト』、曲を選択するための『チェックボックス』、各曲の『価格』、処理を先に進めるための『次へ』ボタンが表示される。
【００４７】
ユーザ２１は、通信端末装置２０の表示パネル上のオリジナルＣＤ編集画面から欲しい曲をチェックする。すなわち、欲しい曲に対応するチェックボックスにチェックを入れる。このようにして欲しい曲の全てにチェックを入れた後、『次へ』ボタンを押す。この操作により、Ｗｅｂサーバ１３は、選択された曲の合計額を計算してその値と、購買の可否（購入するか否か）と、個人情報を入力するための個人情報入力画面とを通信端末装置２０へ送信する。通信端末装置２０は、Ｗｅｂサーバ１３からの合計額と、購買の可否と、個人情報入力画面とを受信すると、自身の表示パネル上に、図８（ｂ）に示すように合計額と、購買の可否ボタン（『買う』ボタン、『買わない』ボタン）と、個人情報入力画面とを表示する。ここでは３曲（『いとしの』、『いなせな』、『チャコの』）選択したので、それらの合計額９００円が表示される。
【００４８】
ユーザ２１は、選択した曲のマイＣＤを購入する場合、『買う』ボタンを押し、購入しない場合は『買わない』ボタンを押す。『買わない』ボタンを押した場合、通信端末装置２０は本処理を終了する。この場合、Ｗｅｂサーバ１３は通信端末装置２０の表示パネル上にトップページを表示させる。一方、『買う』ボタンが押された場合、同一画面上の個人情報入力画面側へ移行し、ユーザ２１は、この画面上で個人情報（例えば、郵便番号を含む住所、氏名、電話番号、メールアドレス、支払い方法）の入力を行う。そして、個人情報を入力し終えた時点で『次へ』ボタンを押す。この操作により、Ｗｅｂサーバ１３は、確認画面を通信端末装置２０へ送信する。通信端末装置２０は、Ｗｅｂサーバ１３からの確認画面を受信すると、自身の表示パネル上に図８（ｃ）に示すように、『合計金額』、『届出先』、『ＯＫ』ボタンを表示する。
【００４９】
ユーザ２１は、この画面上で合計金額と届出先を確認すると、『ＯＫ』ボタンを押す。この操作により、Ｗｅｂサーバ１３は、ダウンロードリストデータベース１４に記録されているユーザ２１のダウンロードリストからユーザ２１が選択した曲（『いとしの』、『いなせな』、『チャコの』）の曲ＩＤを読み出して音楽ＣＤ製作サーバ１５に与える。音楽ＣＤ製作サーバ１５は、オリジナル音源データベース１２を参照して、Ｗｅｂサーバ１３より与えられた曲ＩＤに対応するオリジナルの楽曲データを読み出す。そして、読み出した各楽曲データを順次ＣＤ−Ｒに書き込む。これにより、ユーザ２１のオリジナルの楽曲アルバム即ちマイＣＤ１６（図１参照）が完成する。完成したマイＣＤ１６は、送付先情報とともに運送業者に渡され、ユーザ２１に元へ送られる。Ｗｅｂサーバ１３は、ユーザ２１が選択した曲の曲ＩＤを音楽ＣＤ製作サーバ１５に与えた後、マイＣＤ１６の発送を知らせる報知画面を通信端末装置２０へ送信する。通信端末装置２０は、Ｗｅｂサーバ１３からの発送報知画面を受信すると、自身の表示パネル上に、図８（ｄ）に示すような運送業者のキャラクタが表示される。
【００５０】
以上のように、本実施の形態に係る着信メロディ配信システム１０によれば、複数の着信メロディが登録された着信メロディデータベース１１と、着信メロディデータベース１１に登録されている複数の着信メロディ夫々の元となるオリジナル楽曲が登録されたオリジナル音源データベース１２とを備え、ユーザごとに着信メロディをダウンロードした履歴を記録したダウンロードリストを作成し、着信メロディダウンロード済みのユーザが着信メロディの元となるオリジナル楽曲の入手を希望する場合、オリジナル音源データベース１２から当該ユーザのダウンロードリストに登録された曲情報に対応するオリジナル楽曲を読み出してＣＤ−Ｒに記録する。そして、このオリジナルの楽曲を記録したＣＤ−ＲをマイＣＤ１６としてユーザ宛で送付する。
【００５１】
したがって、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成したマイＣＤ（楽曲アルバム）１６を製作することができる。すなわち、ユーザの好みの曲を集大成したマイＣＤ１６を簡単且つ短時間でしかも安価に製作することが可能となる。
【００５２】
また、ユーザのダウンロードリストは着信メロディ配信サイトに属するものであるので、オリジナル楽曲の著作権管理が容易で違法コピーなどの問題が起こらない健全な配布が可能となる。これによって、着信メロディサービス業界では着信メロディの販売増が見込め、音楽業界側ではオリジナル楽曲の販売増が見込める。さらには、楽曲アルバムをユーザに届ける運送業界では運送量の増加が見込める。また、ダウンロードリストを継続して保持しておくことで懐メロの集大成も可能となり、冠婚葬祭など様々な行事にも使用することができる。このように１つの業種だけでなく、関係する業界すべての活性化が期待できる。
【産業上の利用可能性】
【００５３】
着信メロディを配信する着信メロディ配信サイトへの適用が可能である。
【図面の簡単な説明】
【００５４】
【図１】本発明の一実施の形態に係る着信メロディ配信システムの全体構成を示すブロック図
【図２】本発明の一実施の形態に係る着信メロディ配信システムの着信メロディデータベースのデータ形式を示す図
【図３】本発明の一実施の形態に係る着信メロディ配信システムのオリジナル音源データベースのデータ形式を示す図
【図４】本発明の一実施の形態に係る着信メロディ配信システムのダウンロードリストデータベースのデータ形式を示す図
【図５】本発明の一実施の形態に係る着信メロディ配信システムの着信メロディ配信処理を示すシーケンス図
【図６】本発明の一実施の形態に係る着信メロディ配信システムの着信メロディ配信処理における表示の遷移を示す図
【図７】本発明の一実施の形態に係る着信メロディ配信システムのマイＣＤ製作処理を示すシーケンス図
【図８】本発明の一実施の形態に係る着信メロディ配信システムのマイＣＤ製作処理における表示の遷移を示す図
【符号の説明】
【００５５】
１０  着信メロディ配信システム
１１  着信メロディデータベース
１２  オリジナル音源データベース
１３  Ｗｅｂサーバ
１４  ダウンロードリストデータベース
１５  音楽ＣＤ製作サーバ
１６  マイＣＤ
２０  通信端末装置
３０  基地局
４０  インターネット網
【図１】
2005134730.tif 000003
【図２】
2005134730.tif 000004
【図３】
2005134730.tif 000005
【図４】
2005134730.tif 000006
【図５】
2005134730.tif 000007
【図６】
2005134730.tif 000008
【図７】
2005134730.tif 000009
【図８】
2005134730.tif 000010
【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
複数の着信メロディを記憶している着信メロディ記憶手段と、
通信網を介して通信端末装置に着信メロディをダウンロードする配信手段と、
前記着信メロディ記憶手段が記憶している複数の着信メロディ夫々の元となるオリジナルの楽曲を記憶しているオリジナル音源記憶手段と、
前記通信端末装置のユーザごとにダウンロードした着信メロディの曲情報を記録したダウンロードリストを記憶するダウンロードリスト記憶手段と、
着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、
前記オリジナル楽曲読み出し手段で読み出された前記オリジナル楽曲を記録メディアに記録するオリジナル楽曲記録手段と、
オリジナル楽曲記録済みの記録メディアを前記ユーザ宛に送付する処理を行う送付処理手段と
を含むことを特徴とする着信メロディ配信システム。
【請求項２】
複数の着信メロディを記憶している着信メロディ記憶手段と、
前記着信メロディ記憶手段が記憶している複数の着信メロディ夫々の元となるオリジナルの楽曲を記憶しているオリジナル音源記憶手段と、
着信メロディをダウンロード可能な通信端末装置のユーザごとにダウンロードした着信メロディの曲情報を記録したダウンロードリストを記憶するダウンロードリスト記憶手段と、
着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、
前記オリジナル楽曲読み出し手段で読み出された前記オリジナル楽曲を記録メディアに記録するオリジナル楽曲記録手段と、
を具備することを特徴とするオリジナル楽曲アルバム製作装置。
【請求項３】
複数の着信メロディを記憶している着信メロディ記憶手段と、
前記着信メロディ記憶手段が記憶している複数の着信メロディ夫々の元となるオリジナルの楽曲を記憶しているオリジナル音源記憶手段と、
着信メロディをダウンロード可能な通信端末装置のユーザごとにダウンロードした着信メロディの曲情報を記録したダウンロードリストを記憶するダウンロードリスト記憶手段と、
着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、
前記オリジナル楽曲読み出し手段が読み出したオリジナル楽曲を所定の音声ファイル形式に変換する音声ファイル変換手段と、
音声ファイルでの配信を希望するユーザに対して、前記音声ファイル変換手段にて音声ファイル形式に変換された前記オリジナル楽曲を送信する送信手段と
を具備することを特徴とするオリジナル楽曲アルバム製作装置。
【請求項４】
前記着信メロディ記憶手段に記憶されている複数の着信メロディ夫々には曲を識別するための曲情報が付加されており、また前記オリジナル音源記憶手段に記憶されている複数のオリジナル楽曲夫々には前記着信メロディ記憶手段に記憶されている複数の着信メロディ夫々と共通する曲情報が付加されており、前記ダウンロードリスト記憶手段には着信メロディの曲情報が記憶され、前記オリジナル楽曲読み出し手段は、前記ダウンロードリストに登録された曲情報と同一の曲情報のオリジナル楽曲を前記オリジナル音源記憶手段から読み出すことを特徴とする請求項２または３のいずれかに記載のオリジナル楽曲アルバム製作装置。
【請求項５】
前記オリジナル楽曲読み出し手段は、前記ダウンロードリストに登録された全曲情報のうち、前記ユーザが選択した曲情報に対応するオリジナル楽曲のみ読み出すことを特徴とする請求項４に記載のオリジナル楽曲アルバム製作装置。
【請求項６】
コンピュータを、
着信メロディをダウンロード可能な通信端末装置のユーザごとに、複数の着信メロディを記憶している着信メロディ記憶手段からダウンロードされた着信メロディの曲情報を記録したダウンロードリストを作成するダウンロードリスト作成手段、
着信メロディの元となるオリジナル楽曲の入手を希望するユーザに対して、当該ユーザの前記ダウンロードリストを基に着信メロディ夫々の元となるオリジナルの楽曲を記憶しているオリジナル音源記憶手段からオリジナル楽曲を読み出すオリジナル楽曲読み出し手段、
前記オリジナル楽曲読み出し手段で読み出された前記オリジナル楽曲を記録メディアに記録するオリジナル楽曲記録手段
として機能させることを特徴とするオリジナル楽曲アルバム製作プログラム。
【請求項７】
コンピュータを、
着信メロディをダウンロード可能な通信端末装置のユーザごとに、複数の着信メロディを記憶している着信メロディ記憶手段からダウンロードされた着信メロディの曲情報を記録したダウンロードリストを作成するダウンロードリスト作成手段、
着信メロディの元となるオリジナル楽曲の入手を希望するユーザに対して、当該ユーザの前記ダウンロードリストを基に着信メロディ夫々の元となるオリジナルの楽曲を記憶しているオリジナル音源記憶手段からオリジナル楽曲を読み出すオリジナル楽曲読み出し手段、
前記オリジナル楽曲読み出し手段が読み出したオリジナル楽曲を所定の音声ファイル形式に変換する音声ファイル変換手段、
音声ファイルでの配信を希望するユーザに対して、前記音声ファイル変換手段にて音声ファイル形式に変換された前記オリジナル楽曲を送信する送信手段
として機能させることを特徴とするオリジナル楽曲アルバム製作プログラム。
【請求項８】
前記オリジナル楽曲読み出し手段は、予めユーザが曲情報の選択を行った場合、前記ダウンロードリストに記録された全曲情報のうち、ユーザが選択した曲情報に対応するオリジナル楽曲のみ読み出すことを特徴とする請求項６または７のいずれかに記載のオリジナル楽曲アルバム製作プログラム。
【請求項９】
着信メロディを演奏可能な通信端末装置に通信網を介して着信メロディを配信するオリジナル楽曲アルバム製作装置によるオリジナル楽曲アルバム製作方法であって、
前記通信端末装置のユーザごとにダウンロードした着信メロディの曲情報を記録したダウンロードリストを作成するステップと、
ユーザがダウンロード済みの着信メロディの元となるオリジナル楽曲の入手を希望した場合、着信メロディの元となるオリジナル楽曲が登録されたオリジナル音源データベースから当該ユーザの前記ダウンロードリストに登録された着信メロディの曲情報に対応するオリジナル楽曲を読み出すステップと、
前記読み出されたオリジナル楽曲を記録メディアに記録するステップと、
このオリジナル楽曲記録済みの記録メディアを前記ユーザ宛に送付する処理を行うステップと
を含むことを特徴とするオリジナル楽曲アルバム製作方法。
【請求項１０】
着信メロディを演奏可能な通信端末装置に通信網を介して着信メロディを配信するオリジナル楽曲アルバム製作装置によるオリジナル楽曲アルバム製作方法であって、
前記通信端末装置のユーザごとにダウンロードした着信メロディの曲情報を記録したダウンロードリストを作成するステップと、
ユーザがダウンロード済みの着信メロディの元となるオリジナル楽曲の入手を希望した場合、着信メロディの元となるオリジナル楽曲が登録されたオリジナル音源データベースから当該ユーザの前記ダウンロードリストに登録された着信メロディの曲情報に対応するオリジナル楽曲を読み出すステップと、
前記読み出したオリジナル楽曲を所定の音声ファイル形式に変換するステップと、
音声ファイルでの配信を希望するユーザに対して、前記音声ファイル変換手段にて音声ファイル形式に変換された前記オリジナル楽曲を送信するステップと
を含むことを特徴とするオリジナル楽曲アルバム製作方法。
【手続補正２】
【補正対象書類名】明細書
【補正対象項目名】全文
【補正方法】変更
【補正の内容】
【発明の詳細な説明】
【技術分野】
【０００１】
本発明は、着信メロディを演奏する機能を有する携帯電話等の通信端末装置に対して着信メロディの配信を行う着信メロディ配信システム、及び、着信メロディの元となるオリジナルの楽曲を集大成してユーザオリジナルの楽曲アルバムを製作する楽曲アルバム製作装置、オリジナル楽曲アルバム製作プログラム、オリジナル楽曲アルバム製作方法に関する。
【背景技術】
【０００２】
特に音楽好きではなくても、今までに聞いたことのある好みの楽曲を集めて１つの記録メディア（例えばＣＤ−Ｒ(Compact Disk−Recordable)やＭＤ(Mini Disk)）に記録してユーザオリジナルの楽曲アルバムを製作することがある。このユーザオリジナルの楽曲アルバムの製作においては、ユーザの好みの楽曲が記録されたＣＤやＭＤなどの記録メディアを購入又はレンタルし、またはＦＭ放送などで音楽番組をエアチェックして録音しておいた記録メディアを用いて、好みの楽曲を１曲ずつ再生しては新規の記録メディア（ＭＤ、ＣＤ−Ｒ、テープ等）に記録する編集作業が必要となる。この編集作業は、時間と費用がかかり、また再生専用の機器（例えば、再生専用のＣＤプレーヤやＭＤ）しか持っていない場合には新たに録音可能な機器を購入する必要があるので、簡単に且つ短時間でしかも安価にオリジナルの楽曲アルバムを取得できるサービスが望まれている。
【０００３】
一方、今日、携帯電話などの移動体通信においては、着信メロディを配信するサービスが行われており、着信メロディを演奏可能な機能を有する携帯電話を所持するユーザの間では当該サービスが盛んに利用されている。そして、着信メロディのサービスを行っているサイトの殆どは、回線障害などで着信メロディを完全にダウンロードできなかった場合の対策として、同一の着信メロディを再度ダウンロードできるように、ユーザごとに着信メロディをダウンロードした履歴を記録したダウンロードリストを管理している。このダウンロードリストは、各ユーザ独自の楽曲に対する嗜好性が入っているものであり、言わばユーザ毎のベストアルバムと言えるものである。
【０００４】
なお、従来、着信メロディの検索、取得及び音楽コンテンツ（音楽ＣＤ、音楽ＤＶＤ又はＭＰＥＧ−３等の音楽圧縮データファイル）の購入を可能にしたシステムの提案がある（例えば、特許文献１参照）。
【０００５】
【特許文献１】特開２００３−９９０７１号公報（第４頁、第３図及び第４図）
【発明の開示】
【発明が解決しようとする課題】
【０００６】
ところで、着信メロディのサービスを行っているサイトが管理しているユーザごとのダウンロードリストは、先に述べたように再ダウンロードのために用いられるものであり、それ以外の用途には使われていないのが現状である。もし、このダウンロードリストから着信メロディの元となるオリジナルの楽曲を集大成した楽曲アルバムを製作できるのであれば、ユーザは単に好みの着信メロディをダウンロードするだけで、自分だけの楽曲アルバムを入手することが可能となる。
【０００７】
なお、特許文献１で開示されたシステムは、ユーザが自分の携帯電話を使用して検索した所望の曲が入った音楽ＣＤ、音楽ＤＶＤ又はＭＰＥＧ−３等の音楽圧縮データファイルをユーザに販売する構成を採るものであり、あくまでもユーザの好みの曲が含まれた音楽ＣＤ、音楽ＤＶＤ又はＭＰ−３等の音楽圧縮データファイルであり、全ての曲がユーザの好みの曲ではない。すなわち、ユーザ毎のオリジナル楽曲アルバムを製作して販売するようにしたものではない。
【０００８】
本発明は上述した事情に鑑みてなされたものであり、記録メディアにユーザの好みの曲を集大成したオリジナル楽曲アルバムを簡単且つ短時間でしかも安価に製作することができる着信メロディ配信システム及びオリジナル楽曲アルバム製作装置、オリジナル楽曲アルバム製作プログラム、オリジナル楽曲アルバム製作方法を提供することを目的とする。
【課題を解決するための手段】
【０００９】
上記課題を解決するために
請求項１に係る発明の着信メロディ配信システムは、複数の着信メロディを記憶している着信メロディ記憶手段と、通信網を介して通信端末装置に着信メロディをダウンロードする配信手段と、前記着信メロディ記憶手段が記憶している複数の着信メロディ夫々の元となるオリジナルの楽曲を記憶しているオリジナル音源記憶手段と、前記通信端末装置のユーザごとにダウンロードした着信メロディの曲情報を記録したダウンロードリストを記憶するダウンロードリスト記憶手段と、着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、前記オリジナル楽曲読み出し手段で読み出された前記オリジナル楽曲を記録メディアに記録するオリジナル楽曲記録手段と、オリジナル楽曲記録済みの記録メディアを前記ユーザ宛に送付する処理を行う送付処理手段とを含む構成を採る。
【００１０】
この構成によれば、着信メロディを演奏可能な携帯電話等の通信端末装置を所持するユーザが、ダウンロードにて入手した着信メロディの元となるオリジナル楽曲の入手を希望する場合、当該ユーザがダウンロードした着信メロディの履歴を記録したダウンロードリストを用いて、そのダウンロードリストに記録されている着信メロディの曲情報に対応するオリジナル楽曲をオリジナル音源データベースから読み出して記録メディア（ＣＤ−ＲやＭＯ等）に記録する。そして、その記録メディアをユーザ宛に送付する。
【００１１】
したがって、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００１２】
また、ユーザのダウンロードリストは着信メロディ配信サイトに属するものであるので、オリジナル楽曲の著作権管理が容易で違法コピーなどの問題が起こらない健全な配布が可能となる。これによって、着信メロディサービス業界では着信メロディの販売増が見込め、音楽業界側ではオリジナル楽曲の販売増が見込める。さらには、楽曲アルバムをユーザに届ける運送業界では運送量の増加が見込める。このように１つの業種だけでなく、関係する業界すべての活性化が期待できる。
【００１３】
請求項２に係る発明のオリジナル楽曲アルバム製作装置は、複数の着信メロディを記憶している着信メロディ記憶手段と、前記着信メロディ記憶手段が記憶している複数の着信メロディ夫々の元となるオリジナルの楽曲を記憶しているオリジナル音源記憶手段と、着信メロディをダウンロード可能な通信端末装置のユーザごとにダウンロードした着信メロディの曲情報を記録したダウンロードリストを記憶するダウンロードリスト記憶手段と、着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、前記オリジナル楽曲読み出し手段で読み出された前記オリジナル楽曲を記録メディアに記録するオリジナル楽曲記録手段と、を具備する構成を採る。
【００１４】
この構成によれば、着信メロディをダウンロードした履歴を記録したダウンロードリストを用いて、そのダウンロードリストに記録されている着信メロディの曲情報に対応するオリジナル楽曲をオリジナル音源記憶手段から読み出して記録メディアに記録する。
したがって、従来のように、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００１５】
請求項３に係る発明のオリジナル楽曲アルバム製作装置は、複数の着信メロディを記憶している着信メロディ記憶手段と、前記着信メロディ記憶手段が記憶している複数の着信メロディ夫々の元となるオリジナルの楽曲を記憶しているオリジナル音源記憶手段と、着信メロディをダウンロード可能な通信端末装置のユーザごとにダウンロードした着信メロディの曲情報を記録したダウンロードリストを記憶するダウンロードリスト記憶手段と、着信メロディの元となるオリジナル楽曲の入手を希望するユーザに対して当該ユーザの前記ダウンロードリストを基に前記オリジナル音源記憶手段からオリジナル楽曲を読み出すオリジナル楽曲読み出し手段と、前記オリジナル楽曲読み出し手段が読み出したオリジナル楽曲を所定の音声ファイル形式に変換する音声ファイル変換手段と、音声ファイルでの配信を希望するユーザに対して、前記音声ファイル変換手段にて音声ファイル形式に変換された前記オリジナル楽曲を送信する送信手段とを具備する構成を採る。
この構成によれば、ユーザの好みのオリジナル楽曲を音声ファイルに変換して、そのユーザの通信端末装置へ送信するので、ユーザは注文を入れてから直ぐにオリジナル楽曲アルバムを入手することができる。
【００１６】
請求項４に係る発明のオリジナル楽曲アルバム製作装置は、請求項２または３のいずれかに係る発明のオリジナル楽曲アルバム製作装置において、前記着信メロディ記憶手段に記憶されている複数の着信メロディ夫々には曲を識別するための曲情報が付加されており、また前記オリジナル音源記憶手段に記憶されている複数のオリジナル楽曲夫々には前記着信メロディ記憶手段に記憶されている複数の着信メロディ夫々と共通する曲情報が付加されており、前記ダウンロードリスト記憶手段には着信メロディの曲情報が記憶され、前記オリジナル楽曲読み出し手段は、前記ダウンロードリストに登録された曲情報と同一の曲情報のオリジナル楽曲を前記オリジナル音源記憶手段から読み出す構成を採る。
【００１７】
この構成によれば、着信メロディとオリジナル楽曲の管理を曲情報に基づいて行うので、全体としての処理の高速化が図れる。また、ダウンロードリスト記憶手段として記憶容量の小さなものを使用することができ、その分コストダウンが図れる。
【００１８】
請求項５に係る発明のオリジナル楽曲アルバム製作装置は、請求項４に係る発明のオリジナル楽曲アルバム製作装置において、前記オリジナル楽曲読み出し手段は、前記ダウンロードリストに登録された全曲情報のうち、前記ユーザが選択した曲情報に対応するオリジナル楽曲のみ読み出す構成を採る。
【００１９】
この構成によれば、ダウンロードリストに記録されている着信メロディの曲情報のうち、ユーザの好みのものを選択することができるので、例えば異なるジャンルごとに楽曲アルバムを作製することができる。具体例として、数十年前に流行した懐メロを集めた楽曲アルバムの製作が可能となる。
【００２０】
請求項６に係る発明のオリジナル楽曲アルバム製作プログラムは、コンピュータを、着信メロディをダウンロード可能な通信端末装置のユーザごとに、複数の着信メロディを記憶している着信メロディ記憶手段からダウンロードされた着信メロディの曲情報を記録したダウンロードリストを作成するダウンロードリスト作成手段、着信メロディの元となるオリジナル楽曲の入手を希望するユーザに対して、当該ユーザの前記ダウンロードリストを基に着信メロディ夫々の元となるオリジナルの楽曲を記憶しているオリジナル音源記憶手段からオリジナル楽曲を読み出すオリジナル楽曲読み出し手段、前記オリジナル楽曲読み出し手段で読み出された前記オリジナル楽曲を記録メディアに記録するオリジナル楽曲記録手段として機能させる構成を採る。
【００２１】
このプログラムによれば、着信メロディをダウンロードした履歴を記録したダウンロードリストを用いて、そのダウンロードリストに記録されている着信メロディの曲情報に対応するオリジナル楽曲をオリジナル音源データベースから読み出して記録メディアに記録する。
【００２２】
したがって、従来のように、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００２３】
請求項７に係る発明のオリジナル楽曲アルバム製作プログラムは、コンピュータを、
着信メロディをダウンロード可能な通信端末装置のユーザごとに、複数の着信メロディを記憶している着信メロディ記憶手段からダウンロードされた着信メロディの曲情報を記録したダウンロードリストを作成するダウンロードリスト作成手段、着信メロディの元となるオリジナル楽曲の入手を希望するユーザに対して、当該ユーザの前記ダウンロードリストを基に着信メロディ夫々の元となるオリジナルの楽曲を記憶しているオリジナル音源記憶手段からオリジナル楽曲を読み出すオリジナル楽曲読み出し手段、前記オリジナル楽曲読み出し手段が読み出したオリジナル楽曲を所定の音声ファイル形式に変換する音声ファイル変換手段、音声ファイルでの配信を希望するユーザに対して、前記音声ファイル変換手段にて音声ファイル形式に変換された前記オリジナル楽曲を送信する送信手段として機能させる構成を採る。
【００２４】
このプログラムによれば、ユーザの好みのオリジナル楽曲を音声ファイルに変換して通信端末装置へ送信するので、ユーザは注文を入れてから直ぐにオリジナル楽曲アルバムを入手することができる。
【００２５】
請求項８に係る発明のオリジナル楽曲アルバム製作プログラムは、請求項６または７のいずれかに係る発明のオリジナル楽曲アルバム製作プログラムにおいて、前記オリジナル楽曲読み出し処理では、予めユーザが曲情報の選択を行った場合、前記ダウンロードリストに記録された全曲情報のうち、ユーザが選択した曲情報に対応するオリジナル楽曲のみ読み出す。
【００２６】
このプログラムによれば、ダウンロードリストに記録された着信メロディの曲情報のうち、ユーザが予め選択した曲情報に対応するオリジナル楽曲のみ読み出すので、例えば異なるジャンルごとに楽曲アルバムを作製することができる。具体例として、数十年前に流行した懐メロを集めた楽曲アルバムの製作が可能となる。
【００２７】
請求項９に係る発明のオリジナル楽曲アルバム製作方法は、着信メロディを演奏可能な通信端末装置に通信網を介して着信メロディを配信する着信メロディ配信装置において、前記通信端末装置のユーザごとにダウンロードした着信メロディの曲情報を記録したダウンロードリストを作成するステップと、ユーザがダウンロード済みの着信メロディの元となるオリジナル楽曲の入手を希望した場合、着信メロディの元となるオリジナル楽曲が登録されたオリジナル音源データベースから当該ユーザの前記ダウンロードリストに登録された着信メロディの曲情報に対応するオリジナル楽曲を読み出して記録メディアに記録するステップと、このオリジナル楽曲記録済みの記録メディアを前記ユーザ宛に送付する処理を行うステップとを含む構成を採る。
この構成によれば、着信メロディをダウンロードした履歴を記録したダウンロードリストを用いて、そのダウンロードリストに記録されている着信メロディの曲情報に対応するオリジナル楽曲をオリジナル音源記憶手段から読み出して記録メディアに記録する。
したがって、従来のように、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成した楽曲アルバムを製作することができる。すなわち、ユーザの好みの曲を集大成した楽曲アルバムを簡単且つ短時間でしかも安価に製作することが可能となる。
【００２８】
請求項１０に係る発明のオリジナル楽曲アルバム製作方法は、着信メロディを演奏可能な通信端末装置に通信網を介して着信メロディを配信するオリジナル楽曲アルバム製作装置によるオリジナル楽曲アルバム製作方法であって、前記通信端末装置のユーザごとにダウンロードした着信メロディの曲情報を記録したダウンロードリストを作成するステップと、ユーザがダウンロード済みの着信メロディの元となるオリジナル楽曲の入手を希望した場合、着信メロディの元となるオリジナル楽曲が登録されたオリジナル音源データベースから当該ユーザの前記ダウンロードリストに登録された着信メロディの曲情報に対応するオリジナル楽曲を読み出すステップと、前記読み出したオリジナル楽曲を所定の音声ファイル形式に変換するステップと、音声ファイルでの配信を希望するユーザに対して、前記音声ファイル変換手段にて音声ファイル形式に変換された前記オリジナル楽曲を送信するステップとを含む構成を採る。
この構成によれば、ユーザの好みのオリジナル楽曲を音声ファイルに変換して、そのユーザの通信端末装置へ送信するので、ユーザは注文を入れてから直ぐにオリジナル楽曲アルバムを入手することができる。
【発明の効果】
【００２９】
本発明によれば、ユーザが着信メロディをダウンロードした際に作成されるダウンロードリストを利用してオリジナル楽曲のアルバムを製作するようにしたので、ユーザは単に好みの曲の着信メロディをダウンロードするだけで、オリジナル楽曲を集大成した楽曲アルバムを製作することができる。すなわち、ユーザの好みの曲を集大成した楽曲アルバムを簡単且つ短時間でしかも安価に製作することが可能となる。
【００３０】
また、ユーザのダウンロードリストは着信メロディ配信サイトに属するものであるので、オリジナル楽曲の著作権管理が容易で違法コピーなどの問題が起こらない健全な配布が可能となる。これによって、着信メロディサービス業界では着信メロディの販売増が見込め、音楽業界側ではオリジナル楽曲の販売増が見込める。さらには、楽曲アルバムをユーザに届ける運送業界では運送量の増加が見込める。このように１つの業種だけでなく、関係する業界すべての活性化が期待できる。
【発明を実施するための最良の形態】
【００３１】
以下、本発明を実施するための最良の形態について、図面を参照して詳細に説明する。図１は、本発明の一実施の形態に係る着信メロディ配信システムの構成を示すブロック図である。図１において、本実施の形態に係る着信メロディ配信システム１０は、着信メロディを演奏する機能を有する携帯電話やＰＤＡ(Personal Digital Assistant)等の通信端末装置２０で使用可能な複数の着信メロディが登録された着信メロディデータベース１１と、着信メロディデータベース１１に登録されている着信メロディデータの元になるオリジナル楽曲の音源データが登録されたオリジナル音源データベース１２と、基地局３０とインターネット網（通信網）４０を介して通信端末装置２０と双方向通信を行い、着信メロディの通信端末装置２０への配信及び管理を行うＷｅｂサーバ１３と、通信端末装置２０に配信した着信メロディの履歴を記録したダウンロードリストを保存するダウンロードリストデータベース１４と、通信端末装置２０を介してユーザ２１からマイＣＤ製作要求があった場合にダウンロードリストデータベース１４に保持されている当該ユーザ２１のダウンロードリストを参照し、オリジナル音源データベース１２からダウンロードリストの各曲に対応するオリジナル楽曲の音源データを読み出してＣＤ−Ｒ等の記録メディアに記録してオリジナル楽曲アルバムを製作する音楽ＣＤ製作サーバ１５とを備えている。
【００３２】
着信メロディデータベース１１には、図２に示すように、着信メロディが『曲タイトル』、『曲データ』、『曲ＩＤ』、の形式で登録されている。オリジナル音源データベース１２には、図３に示すように、着信メロディの元となるオリジナル楽曲の音源データが『曲タイトル』、『オリジナル音源データ』、『曲ＩＤ』の形式で登録されている。この場合、オリジナル音源データベース１２の『曲ＩＤ』が着信メロディデータベース１１の『曲ＩＤ』と共通になっており、後述するマイＣＤ製作処理においてオリジナル楽曲の検索を容易にしている。ダウンロードリストデータベース１４には、図４に示すように、ユーザごとのダウンロードリストが『ユーザＩＤ』と『曲ＩＤ』の形式で記録される。Ｗｅｂサーバ１３は、ネットワーク制御機能を有するコンピュータであり、図示せぬＣＰＵと、ＣＰＵを制御するプログラムメモリと、ＣＰＵの動作において使用されるワークメモリとを有している。
【００３３】
Ｗｅｂサーバ１３は、基地局３０とインターネット網４０を介して双方通信状態にある通信端末装置２０から着信メロディをダウンロードする要求があると、着信メロディデータベース１１を参照して、通信端末装置２０のユーザ２１が所望とする着信メロディをダウンロード可能にするとともに、その着信メロディの『曲ＩＤ』をダウンロードリストデータベース１４に記録する。ユーザ毎のダウンロードリストは月末に完成し、月ごとに管理される。なお、ここでは月末に完成するようにしているが、これに限定されるものではなく、任意である。
【００３４】
音楽ＣＤ製作サーバ１５は、通信端末装置２０のユーザ２１からマイＣＤ製作要求があると、そのユーザの『ユーザＩＤ』からダウンロードリストデータベース１４にあるダウンロードリストを参照し、そのダウンロードリストにある全曲又はユーザ２１が任意に選択した曲に対応するオリジナル楽曲の音源データをオリジナル音源データベース１２から読み出してＣＤ−Ｒなどの記録メディアに記録し、ユーザ２１のオリジナル楽曲アルバムを製作する。なお、記録メディアとしてＣＤ−Ｒを用いる以外にユーザ２１の要望に応じてＭＤや磁気テープなどを用いても構わない。
【００３５】
ユーザ２１のオリジナル楽曲アルバムを製作した後、運送業者を介してユーザ２１に届けられる。なお、課金については、オリジナル楽曲アルバム購入手続き時において行うか、あるいは商品と引き換え（即ち代引き）で行うことが考えられる。また、オリジナル楽曲の音源データをＣＤ−Ｒ、ＭＤ、磁気テープ等の記録メディアに記録する他に、ＷＡＶＥ形式にして通信端末装置２０へ送信するようにしても良い。また、ＷＡＶＥ形式にした後、MPEG-1 Audio Layer III方式や、Indeo Audio形式などで圧縮するようにしても良い。
【００３６】
次に、本実施の形態に係る着信メロディ配信システム１０の詳細な動作について、図を用いて説明する。
〔着信メロディ配信処理〕
図５は、着信メロディ配信システム１０における着信メロディ配信処理を示すシーケンス図である。図５において、通信端末装置２０とＷｅｂサーバ１３との間で接続が確立した後、通信端末装置２０がトップページにアクセスする（ｓａ１０）。Ｗｅｂサーバ１３は、通信端末装置２０のトップページアクセスに応じてトップページを作成し、作成したトップページを通信端末装置２０へ送信する（ｓｂ１０）。なお、トップページの作成においては、ＨＴＭＬ(Hyper Text Markup Language)言語などのＷｅｂページで使用できるマークアップ言語が用いられる。
【００３７】
通信端末装置２０は、Ｗｅｂサーバ１３から送信されたトップページを受信すると、自身の表示パネル（図示略）上にトップページを表示する（ｓａ１１）。このトップページには、図６（ａ）に示すように、『アーティスト名で検索』、『曲名で検索』、『曲番号で検索』などの各種検索方法や、オリジナルＣＤ製作のための『マイＣＤ製作』が表示される。
【００３８】
ここでは着信メロディを配信するので、ユーザ２１が例えば『アーティストで検索』を選択する（ｓａ１２）と、Ｗｅｂサーバ１３は検索ページを作成して通信端末装置２０へ送信する（ｓｂ１１）。通信端末装置２０は、Ｗｅｂサーバ１３からの検索ページを受信すると、自身の表示パネル上に検索ページを表示する（ｓａ１３）。この検索ページには、図６（ｂ）に示すようにアーティストを検索するためのキーワード入力欄が表示される。
【００３９】
ここで、ユーザ２１がキーワード入力欄に例えば『○○』を入力する（ｓａ１４）と、Ｗｅｂサーバ１３は、着信メロディデータベース１１にて『○○』のキーワードで始まるアーティスト名を検索する。そして、検索により『○○』のキーワードであてはまるアーティスト名が判明すると、そのアーティスト名と曲リストを通信端末装置２０へ送信する（ｓｂ１２）。通信端末装置２０は、Ｗｅｂサーバ１３からのアーティスト名と曲リストを受信すると、図６（ｃ）に示すように、自身の表示パネル上にアーティスト名と曲名を表示する。この場合、通信端末装置２０の表示パネルの大きさから全ての曲を一度に表示できない場合があるので、通信端末装置２０ではスクロール操作を可能にしている。
【００４０】
通信端末装置２０の表示パネル上にアーティスト名と曲リストが表示されると、ユーザ２１は、表示された曲のなかから希望する曲を選択する（ｓａ１５）。この曲選択操作により、Ｗｅｂサーバ１３は、選択された曲を配信しても良いかどうかを確認する情報を通信端末装置２０へ送信する（ｓｂ１３）。通信端末装置２０は、Ｗｅｂサーバ１３からの配信確認情報を受信すると、図６（ｄ）に示すように配信の可否を確認する画面を表示する。この場合、ユーザ２１が選択した曲が例えば『△△』であるとすると、「『△△』をダウンロードしてもよろしいでしょうか？  ＹＥＳ  ＮＯ」という確認画面が表示される（ｓａ１６）。
【００４１】
ここで、ユーザ２１が「ＹＥＳ」を選択すると、Ｗｅｂサーバ１３は、ダウンロードページを通信端末装置２０へ送信し（ｓｂ１５）、またダウンロードリストデータベース１４に『△△』の曲ＩＤとユーザＩＤを記録する（ｓｂ１６）。この場合、ユーザＩＤで決まるダウンロードリストに『△△』の曲ＩＤが追加される。なお、初めて着信メロディをダウンロードする場合は、ユーザＩＤでダウンロードリストを作成し、それに曲ＩＤを登録することになる。
【００４２】
通信端末装置２０は、Ｗｅｂサーバ１３からのダウンロードページを受信すると、図６（ｅ）に示すようにダウンロードページを表示する（ｓａ１７）。この場合、例えば「△△を追加しました」という確認メッセージが表示される。そして、ダウンロードページの表示とともにダウンロードが開始される（ｓｂ１７）。一方、「『△△』をダウンロードしてもよろしいでしょうか？  ＹＥＳ  ＮＯ」と表示された状態で、ユーザ２１が「ＮＯ」を選択する操作を行うと、Ｗｅｂサーバ１３は、図６（ｃ）の画面を表示して他の曲の選択を促す。
【００４３】
そして、『△△』の着信メロディのダウンロードが完了すると、再度、図６（ｃ）の画面に戻るか、あるいは図６（ａ）のトップページ画面に戻る。これは同じアーティストの他の曲をダウンロードしたい場合には図６（ｃ）の画面に戻る操作を選択し、他のアーティストの曲をダウンロードした場合には図６（ａ）のトップページ画面に戻る操作を選択することで実現できる。新たな曲をダウンロードする度にダウンロードした着信メロディデータの曲ＩＤがダウンロードリストに追加されて行く。このようにして着信メロディデータのダウンロードが行われるとともに、ダウンロードされた曲の曲ＩＤがダウンロードリストに登録される。
【００４４】
〔マイＣＤ製作処理〕
図７は、本実施の形態に係る着信メロディ配信システム１０におけるマイＣＤ製作処理を示すシーケンス図である。図７において、通信端末装置２０とＷｅｂサーバ１３との間で接続が確立した後、通信端末装置２０がトップページにアクセスする（ｓａ２０）。Ｗｅｂサーバ１３は、通信端末装置２０のトップページアクセスに応じてトップページを作成し、作成したトップページを通信端末装置２０へ送信する（ｓｂ２０）。
【００４５】
通信端末装置２０は、Ｗｅｂサーバ１３からのトップページを受信すると、自身の表示パネル上にトップページを表示する（ｓａ２１）。このトップページには上述したように『アーティストで検索』、『曲名で検索』、『曲番号で検索』などの各種検索方法や、オリジナルＣＤ製作のための『マイＣＤ製作』が表示される（図６（ａ）参照）。
【００４６】
ここではマイＣＤを製作するので、ユーザ２１は『マイＣＤ製作』を選択する（ｓａ２２）。この選択により、Ｗｅｂサーバ１３は、オリジナルＣＤ編集画面を作成して通信端末装置２０へ送信する。この場合、Ｗｅｂサーバ１３は、ユーザ２１のユーザＩＤからダウンロードリストデータベース１４に記録されているユーザ２１のダウンロードリストを読み出す。また、Ｗｅｂサーバ１３は、着信メロディデータベース１１を参照して、ユーザ２１のダウンロードリストにある全ての曲ＩＤに対応する価格を読み出す。そして、ダウンロードリストにある全ての曲ＩＤと、各曲の価格とからオリジナルＣＤ編集画面を作成して通信端末装置２０へ送信する（ｓｂ２１）。通信端末装置２０は、Ｗｅｂサーバ１３からのオリジナルＣＤ編集画面を受信すると、自身の表示パネル上にオリジナルＣＤ編集画面を表示する。オリジナルＣＤ編集画面には、図８（ａ）に示すように、『曲リスト』、曲を選択するための『チェックボックス』、各曲の『価格』、処理を先に進めるための『次へ』ボタンが表示される。
【００４７】
ユーザ２１は、通信端末装置２０の表示パネル上のオリジナルＣＤ編集画面から欲しい曲をチェックする。すなわち、欲しい曲に対応するチェックボックスにチェックを入れる（ｓａ２３）。このようにして欲しい曲の全てにチェックを入れた後、『次へ』ボタンを押す（ｓａ２４）。この操作により、Ｗｅｂサーバ１３は、選択された曲の合計額を計算してその値と、購買の可否（購入するか否か）と、個人情報を入力するための個人情報入力画面とを通信端末装置２０へ送信する（ｓｂ２２）。通信端末装置２０は、Ｗｅｂサーバ１３からの合計額と、購買の可否と、個人情報入力画面とを受信すると、自身の表示パネル上に、図８（ｂ）に示すように合計額と、購買の可否ボタン（『買う』ボタン、『買わない』ボタン）と、個人情報入力画面とを表示する。ここでは３曲（『××××』、『○×△』、『△○×』）選択したので、それらの合計額９００円が表示される。
【００４８】
ユーザ２１は、選択した曲のマイＣＤを購入する場合、『買う』ボタンを押し、購入しない場合は『買わない』ボタンを押す（ｓａ２５）。『買わない』ボタンを押した場合、通信端末装置２０は本処理を終了する。この場合、Ｗｅｂサーバ１３は通信端末装置２０の表示パネル上にトップページを表示させる。一方、『買う』ボタンが押された場合、同一画面上の個人情報入力画面側へ移行し、ユーザ２１は、この画面上で個人情報（例えば、郵便番号を含む住所、氏名、電話番号、メールアドレス、支払い方法）の入力を行う。そして、個人情報を入力し終えた時点で『次へ』ボタンを押す（ｓａ２６）。この操作により、Ｗｅｂサーバ１３は、確認画面を通信端末装置２０へ送信する（ｓａ２３）。通信端末装置２０は、Ｗｅｂサーバ１３からの確認画面を受信すると、自身の表示パネル上に図８（ｃ）に示すように、『合計金額』、『届出先』、『ＯＫ』ボタンを表示する。
【００４９】
ユーザ２１は、この画面上で合計金額と届出先を確認すると、『ＯＫ』ボタンを押す（ｓａ２７）。この操作により、Ｗｅｂサーバ１３は、ダウンロードリストデータベース１４に記録されているユーザ２１のダウンロードリストからユーザ２１が選択した曲（『××××』、『○×△』、『△○×』）の曲ＩＤを読み出して音楽ＣＤ製作サーバ１５に与える（ｓｂ２４）。音楽ＣＤ製作サーバ１５は、オリジナル音源データベース１２を参照して、Ｗｅｂサーバ１３より与えられた曲ＩＤに対応するオリジナルの楽曲データを読み出す。そして、読み出した各楽曲データを順次ＣＤ−Ｒに書き込む。これにより、ユーザ２１のオリジナルの楽曲アルバム即ちマイＣＤ１６（図１参照）が完成する（ｓｃ２０）。完成したマイＣＤ１６は、送付先情報とともに運送業者に渡され、ユーザ２１に元へ送られる（ｓｃ２１）。Ｗｅｂサーバ１３は、ユーザ２１が選択した曲の曲ＩＤを音楽ＣＤ製作サーバ１５に与えた後、マイＣＤ１６の発送を知らせる報知画面を通信端末装置２０へ送信する。通信端末装置２０は、Ｗｅｂサーバ１３からの発送報知画面を受信すると、自身の表示パネル上に、図８（ｄ）に示すような発送メッセージが表示される。
【００５０】
以上のように、本実施の形態に係る着信メロディ配信システム１０によれば、複数の着信メロディが登録された着信メロディデータベース１１と、着信メロディデータベース１１に登録されている複数の着信メロディ夫々の元となるオリジナル楽曲が登録されたオリジナル音源データベース１２とを備え、ユーザごとに着信メロディをダウンロードした履歴を記録したダウンロードリストを作成し、着信メロディダウンロード済みのユーザが着信メロディの元となるオリジナル楽曲の入手を希望する場合、オリジナル音源データベース１２から当該ユーザのダウンロードリストに登録された曲情報に対応するオリジナル楽曲を読み出してＣＤ−Ｒに記録する。そして、このオリジナルの楽曲を記録したＣＤ−ＲをマイＣＤ１６としてユーザ宛で送付する。
【００５１】
したがって、ユーザの好みの楽曲が記録されたＣＤやＭＤなどの記録メディアを購入又はレンタルし、またはＦＭ放送などで音楽番組をエアチェックして録音しておいた記録メディアを用いて、１曲ずつ再生して新規の記録メディアに記録する編集作業が不要となり、ユーザは単に好みの曲の着信メロディをダウンロードするだけで、好みの楽曲を集大成したマイＣＤ（楽曲アルバム）１６を製作することができる。すなわち、ユーザの好みの曲を集大成したマイＣＤ１６を簡単且つ短時間でしかも安価に製作することが可能となる。
【００５２】
また、ユーザのダウンロードリストは着信メロディ配信サイトに属するものであるので、オリジナル楽曲の著作権管理が容易で違法コピーなどの問題が起こらない健全な配布が可能となる。これによって、着信メロディサービス業界では着信メロディの販売増が見込め、音楽業界側ではオリジナル楽曲の販売増が見込める。さらには、楽曲アルバムをユーザに届ける運送業界では運送量の増加が見込める。また、ダウンロードリストを継続して保持しておくことで懐メロの集大成も可能となり、冠婚葬祭など様々な行事にも使用することができる。このように１つの業種だけでなく、関係する業界すべての活性化が期待できる。
【産業上の利用可能性】
【００５３】
着信メロディを配信する着信メロディ配信サイトへの適用が可能である。
【図面の簡単な説明】
【００５４】
【図１】本発明の一実施の形態に係る着信メロディ配信システムの全体構成を示すブロック図
【図２】本発明の一実施の形態に係る着信メロディ配信システムの着信メロディデータベースのデータ形式を示す図
【図３】本発明の一実施の形態に係る着信メロディ配信システムのオリジナル音源データベースのデータ形式を示す図
【図４】本発明の一実施の形態に係る着信メロディ配信システムのダウンロードリストデータベースのデータ形式を示す図
【図５】本発明の一実施の形態に係る着信メロディ配信システムの着信メロディ配信処理を示すシーケンス図
【図６】本発明の一実施の形態に係る着信メロディ配信システムの着信メロディ配信処理における表示の遷移を示す図
【図７】本発明の一実施の形態に係る着信メロディ配信システムのマイＣＤ製作処理を示すシーケンス図
【図８】本発明の一実施の形態に係る着信メロディ配信システムのマイＣＤ製作処理における表示の遷移を示す図
【符号の説明】
【００５５】
１０  着信メロディ配信システム
１１  着信メロディデータベース
１２  オリジナル音源データベース
１３  Ｗｅｂサーバ
１４  ダウンロードリストデータベース
１５  音楽ＣＤ製作サーバ
１６  マイＣＤ
２０  通信端末装置
３０  基地局
４０  インターネット網
【手続補正３】
【補正対象書類名】図面
【補正対象項目名】図１
【補正方法】変更
【補正の内容】
【図１】
2005134730.tif 000011
【手続補正４】
【補正対象書類名】図面
【補正対象項目名】図５
【補正方法】変更
【補正の内容】
【図５】
2005134730.tif 000012
【手続補正５】
【補正対象書類名】図面
【補正対象項目名】図６
【補正方法】変更
【補正の内容】
【図６】
2005134730.tif 000013
【手続補正６】
【補正対象書類名】図面
【補正対象項目名】図７
【補正方法】変更
【補正の内容】
【図７】
2005134730.tif 000014
【手続補正７】
【補正対象書類名】図面
【補正対象項目名】図８
【補正方法】変更
【補正の内容】
【図８】
2005134730.tif 000015